(57)【要約】【課題】ハードディスク記録再生装置における、一旦記録した番組の編集操作時の不便を解消する。特に編集モードにおける編集ポイントの探索を容易にする。【解決手段】録画モード又は再生モード時に、ユーザーが映像を視聴しながら削除したい場面の映像（映画の予告編やＣＭ等）を発見した際、リモコン１７に設けた編集ボタン１８を押し操作すると、その映像位置（編集ポイント）が記憶される。そして、事後に編集モードに切替え、操作画面２６を立ち上げた上で、リモコン１７の移動ボタン１９を押し操作すると、小画面２８の映像が事前に指定した編集ポイントの映像にジャンプ移動する。【選択図】図１
2006005394.tif 000002
【特許請求の範囲】
【請求項１】
記録媒体としてのハードディスク、テレビ放送の受信チューナ、該受信チューナで受信したテレビ番組の前記ハードディスクへの記録と記録した番組のテレビモニタ等の映像出力手段への再生出力等を制御する制御手段、該制御手段に接続されユーザーの操作によって制御手段の制御内容を設定する操作部を備え、
前記制御手段は、操作部からの設定により、受信した番組のハードディスクへの記録を行う録画モードと、ハードディスクに記録した番組の前記映像出力手段への出力を行う再生モードと、記録した番組の編集を行うための編集モードを択一的に切替えて実行するハードディスク記録再生装置において、
前記操作部には、前記制御手段が録画モード又は再生モードの実行時において、ユーザーの操作により、操作時点で映像出力手段に出力されている映像の当該番組に対する位置を示す編集ポイントを指定して前記制御手段に記憶させる編集ボタンを備えると共に、前記制御手段が編集モードの実行時において、ユーザーの操作により、編集モードの再生画面が前記編集ポイントで指定された位置の映像へ移動する移動ボタンを備え、
さらに、前記制御手段が録画モード又は再生モードの実行時において、ユーザーの操作により、操作時点で映像出力手段に出力されている映像から直前の編集ポイント又は当該番組の開始時までの映像を削除する削除ボタンを備えたことを特徴とするハードディスク記録再生装置。
【請求項２】
記録媒体としてのハードディスク、テレビ放送の受信チューナ、該受信チューナで受信したテレビ番組の前記ハードディスクへの記録と記録した番組のテレビモニタ等の映像出力手段への再生出力等を制御する制御手段、該制御手段に接続されユーザーの操作によって制御手段の制御内容を設定する操作部を備え、
前記制御手段は、操作部からの設定により、受信した番組のハードディスクへの記録を行う録画モードと、ハードディスクに記録した番組の前記映像出力手段への出力を行う再生モードと、記録した番組の編集を行うための編集モードを択一的に切替えて実行するハードディスク記録再生装置において、
前記操作部には、前記制御手段が録画モード又は再生モードの実行時において、ユーザーの操作により、操作時点で映像出力手段に出力されている映像の当該番組に対する位置を示す編集ポイントを指定して前記制御手段に記憶させる編集ボタンを備えると共に、前記制御手段が編集モードの実行時において、ユーザーの操作により、編集モードの再生画面が前記編集ポイントで指定された位置の映像へ移動する移動ボタンを備えたことを特徴とするハードディスク記録再生装置。
【請求項３】
記録媒体としてのハードディスク、テレビ放送の受信チューナ、該受信チューナで受信したテレビ番組の前記ハードディスクへの記録と記録した番組のテレビモニタ等の映像出力手段への再生出力等を制御する制御手段、該制御手段に接続されユーザーの操作によって制御手段の制御内容を設定する操作部を備え、
前記制御手段は、操作部からの設定により、受信した番組のハードディスクへの記録を行う録画モードと、ハードディスクに記録した番組の前記映像出力手段への出力を行う再生モードと、記録した番組の編集を行うための編集モードを択一的に切替えて実行するハードディスク記録再生装置における記録した番組の編集方法において、
前記録画モード又は再生モードの実行時に、ユーザーが操作部の編集ボタンを操作することにより、再生中の映像の当該番組に対する位置を示す編集ポイントを指定し、前記編集モードの実行時には、ユーザーが操作部の移動ボタンを操作することにより、編集モードの再生画面が前記編集ポイントで指定された位置の映像へ移動し、その後、編集ポイントで示された録画部分の削除、保存等の編集処理が実行されることを特徴とするハードディスク記録再生装置における記録した番組の編集方法。
【請求項４】
前記編集処理が、編集モードとは切り離されて、深夜帯等のユーザーによる使用頻度の低い時間帯であって、かつ予約録画が設定されていない時間帯において自動的に実行されることを特徴とする請求項３に記載のハードディスク記録再生装置における記録した番組の編集方法。
【発明の詳細な説明】
【技術分野】
【０００１】
本発明は、アナログ放送及びデジタル放送を受信して内蔵のハードディスクに記録し、事後のユーザーの操作によって記録した放送番組を再生したり、編集したりできるハードディスク記録再生装置、及び記録した番組の編集方法に関する。
【背景技術】
【０００２】
ハードディスクを記録媒体とするテレビ放送の記録再生装置がある。ハードディスクは大容量であり、長時間に亘ってテレビ番組を記録することができることや、アナログのビデオテープレコーダ（以下、ＶＴＲと称す）に比べて頭出し等のアクセス時間が格段に短時間であること等により近年急速に普及が進んでいる。
【０００３】
このハードディスク記録再生装置においてＶＴＲに比べ、優れている点の１つが録画時の編集機能である。
すなわち、ＶＴＲにおいて、例えば２時間の映画を録画する際に、その前後にある予告編等、録画不要と思われる箇所を除いて録画しようとする場合、ユーザーはリアルタイムで映像を見ながら、ＶＴＲの一時停止、再録画等の操作をしなければならず面倒であった。また、リアルタイムで操作するので、一時停止等のタイミングを誤った場合には記録すべき映像を記録できないことも起こり得、ユーザーにとって難しい操作となっていた。
【０００４】
これに対して、ハードディスク記録再生装置での録画編集は通常次のように行われる。上記２時間の映画を録画編集する場合を例にとって説明する。一旦ハードディスクに２時間全部の録画がなされた後、ユーザーは装置を編集モードに切替える。編集モードでは、モニタ画面にＯＳＤ（On Screen Display）機能により図５に示した操作画面１が表示されるので、ユーザーはこの操作画面１を見ながら手元のリモコンを操作して編集操作を行う。
【０００５】
すなわち、操作画面１に現れる横長のライン２が、録画されている２時間の番組のタイムチャートを示すので、ユーザーはその前後にある予告編等の不要部分位置を、画面の一部に映し出された小画面３（サムネイル画面）を見ながら、早送り又はコマ送り等の操作をすることによって探し出す。そして、不要部分を確認した後、リモコン操作を行って当該不要部分の削除を行う。
【０００６】
このように、ハードディスク記録再生装置では、編集モード時の小画面を見ながら不要部分を確認できるので、ＶＴＲに比べて編集位置の正確さが容易に確保されるし、編集モードにおいて一括して不要部分の特定と削除操作ができるので、操作が分かりやすい利点がある。
【０００７】
ところが、一方で上記ハードディスク記録再生装置にも次のような不便さがあった。すなわち、上記編集モードにおいて、ユーザーは小画面３を見ながら、早送り、コマ送り操作等を繰り返して小画面３に不要部分の映像（予告編、ＣＭ等）が出てくるのを探さなければならない。ユーザーが編集してまで残そうと考える番組は、通常、放送時にリアルタイムで視聴したか、一度再生して視聴した番組であるので、編集モードの画面においても不要部分の大体の位置は推測がつくが、それでも正確な位置は、上記のように早送り、コマ送りなどの操作を繰り返さなければ見つからない場合がほとんどである。
【０００８】
なお、映像をハード型磁気ディスクに記録するビデオカメラにおいて、ディスクに記録した重要な映像ファイルが不測に消去されてしまうことがないようにするために、消去禁止の区間の設定が簡単なキー操作で行えるようにした技術が特許文献１に開示されているが、これは記録した映像情報（番組）を事後において編集することに関する技術ではない。
【特許文献１】特開平９−１６８１２９号公報
【発明の開示】
【発明が解決しようとする課題】
【０００９】
本発明は、ハードディスク記録再生装置における編集時の不便さを解消するものであり、特に、編集モードにおける編集すべきポイントの探索を容易にすることを目的とする。
【課題を解決するための手段】
【００１０】
上記課題を解決するための請求項１の発明は、記録媒体としてのハードディスク、テレビ放送の受信チューナ、該受信チューナで受信したテレビ番組の前記ハードディスクへの記録と記録した番組のテレビモニタ等の映像出力手段への再生出力等を制御する制御手段、該制御手段に接続されユーザーの操作によって制御手段の制御内容を設定する操作部を備え、前記制御手段は、操作部からの設定により、受信した番組のハードディスクへの記録を行う録画モードと、ハードディスクに記録した番組の前記映像出力手段への出力を行う再生モードと、記録した番組の編集を行うための編集モードを択一的に切替えて実行するハードディスク記録再生装置において、前記操作部には、前記制御手段が録画モード又は再生モードの実行時において、ユーザーの操作により、操作時点で映像出力手段に出力されている映像の当該番組に対する位置を示す編集ポイントを指定して前記制御手段に記憶させる編集ボタンを備えると共に、前記制御手段が編集モードの実行時において、ユーザーの操作により、編集モードの再生画面が前記編集ポイントで指定された位置の映像へ移動する移動ボタンを備え、さらに、前記制御手段が録画モード又は再生モードの実行時において、ユーザーの操作により、操作時点で映像出力手段に出力されている映像から直前の編集ポイント又は当該番組の開始時までの映像を削除する削除ボタンを備えたことを特徴とする。
【００１１】
請求項２の発明は、記録媒体としてのハードディスク、テレビ放送の受信チューナ、該受信チューナで受信したテレビ番組の前記ハードディスクへの記録と記録した番組のテレビモニタ等の映像出力手段への再生出力等を制御する制御手段、該制御手段に接続されユーザーの操作によって制御手段の制御内容を設定する操作部を備え、前記制御手段は、操作部からの設定により、受信した番組のハードディスクへの記録を行う録画モードと、ハードディスクに記録した番組の前記映像出力手段への出力を行う再生モードと、記録した番組の編集を行うための編集モードを択一的に切替えて実行するハードディスク記録再生装置において、前記操作部には、前記制御手段が録画モード又は再生モードの実行時において、ユーザーの操作により、操作時点で映像出力手段に出力されている映像の当該番組に対する位置を示す編集ポイントを指定して前記制御手段に記憶させる編集ボタンを備えると共に、前記制御手段が編集モードの実行時において、ユーザーの操作により、編集モードの再生画面が前記編集ポイントで指定された位置の映像へ移動する移動ボタンを備えたことを特徴とする。
【００１２】
請求項３の発明は、記録媒体としてのハードディスク、テレビ放送の受信チューナ、該受信チューナで受信したテレビ番組の前記ハードディスクへの記録と記録した番組のテレビモニタ等の映像出力手段への再生出力等を制御する制御手段、該制御手段に接続されユーザーの操作によって制御手段の制御内容を設定する操作部を備え、前記制御手段は、操作部からの設定により、受信した番組のハードディスクへの記録を行う録画モードと、ハードディスクに記録した番組の前記映像出力手段への出力を行う再生モードと、記録した番組の編集を行うための編集モードを択一的に切替えて実行するハードディスク記録再生装置における記録した番組の編集方法において、前記録画モード又は再生モードの実行時に、ユーザーが操作部の編集ボタンを操作することにより、再生中の映像の当該番組に対する位置を示す編集ポイントを指定し、前記編集モードの実行時には、ユーザーが操作部の移動ボタンを操作することにより、編集モードの再生画面が前記編集ポイントで指定された位置の映像へ移動し、その後、編集ポイントで示された録画部分の削除、保存等の編集処理が実行されることを特徴とする。
【００１３】
上記課題を解決するための請求項４の発明は、請求項３の発明において、編集処理が、編集モードとは切り離されて、深夜帯等のユーザーによる使用頻度の低い時間帯であって、かつ予約録画が設定されていない時間帯において自動的に実行されることを特徴とする。
【発明の効果】
【００１４】
以上のように請求項１の発明によれば、ユーザーは、録画モード又は再生モード時にテレビモニタ等の映像出力手段に出力される映像を見ながら、不要と思われる部分（例えば映画の予告編、ＣＭ等）が現れた時点で編集ボタンを操作し、編集ポイントを指定すれば、事後に編集モードに切替えた際、操作部の移動ボタンを操作するだけで編集モードの再生画面が先に指定した編集ポイントの画面に移動するので、そこを編集ポイントとして削除等の編集操作ができ、編集ポイントの探索に手間を取られることがない。
【００１５】
また、ＣＭ等のように、視聴中に明らかに削除すべきと考えられる部分が現れた場合には、ＣＭの開始時点で編集ボタンを操作し、その後ＣＭの終了時点で操作部の削除ボタンを操作すれば、その削除ボタンで指定した時点から直前の編集ボタンで指定した時点までの部分は自動的に削除されるので、編集モードに切替えてから改めて当該不要部分の削除操作をする手間が省ける。
【００１６】
また、請求項２及び請求項３の発明によれば、ユーザーは、録画モード又は再生モード時にテレビモニタ等の映像出力手段に出力される映像を見ながら、不要と思われる部分（例えば映画の予告編、ＣＭ等）が現れた時点で編集ボタンを操作し、編集ポイントを指定すれば、事後に編集モードに切替えた際、操作部の移動ボタンを操作するだけで編集モードの再生画面が先に指定した編集ポイントの画面に移動するので、そこを編集ポイントとして削除などの編集操作ができ、編集ポイントの探索に手間を取られることがない。
【００１７】
また、請求項４の発明によれば、編集モードにおいて設定した不要部分の削除、あるいはそれに伴うデータの再配置（デフラグ）動作が、編集モードとは切り離されて、深夜帯等のユーザーによる使用頻度の低い時間帯であって、かつ予約録画が設定されていない時間帯において自動的に実行されるので、編集モードにおけるユーザーの待ち時間が解消される。
【発明を実施するための最良の形態】
【００１８】
本発明の実施形態に係わるハードディスク記録再生装置について図１乃至図４を参照して説明する。本実施形態のハードディスク記録再生装置１０は、図１に示すように、テレビ放送の受信チューナ１１、該受信チューナ１１で受信した放送信号をそれぞれデジタルデータ及びビットストリームに変換するＮＴＳＣデコーダ１２、ＡＴＳＣフロントエンド１３を備え、大容量の記録媒体としてのハードディスク１４を備えている。
【００１９】
また、制御手段としてのコンピュータシステム１５（以下、システムと称す）を備え、該システム１５が前記デジタルデータ及びビットストリームの出力を制御したり、ハードディスク１４からの録画データの読み込みを実行し、そのデータの出力を制御している。システム１５はリモコン受光部１６に接続され、該リモコン受光部１６は外部のリモコン１７に赤外線で無線接続され、ユーザーがリモコン１７を操作することによりシステム１５に種々の設定を与えるようになっている。従って、この実施形態ではリモコン１７とリモコン受光部１６が操作部を構成する。リモコン１７には、後に詳述する編集ボタン１８と、移動ボタン１９及び削除ボタン２０が設けられている。
【００２０】
２１はビットストリームを映像に変換するＭＰＥＧデコーダ、２２は変換された映像をグラフィック処理するＯＳＤであり、ＯＳＤ２２からの映像信号が映像出力手段としての外部のテレビモニタ２３に出力される。２４は放送電波を受信するアンテナである。なお、本明細書において映像、映像信号及び映像出力と称するものは音声、音声信号及び音声出力も含む。
【００２１】
前記リモコン１７には、図２に示すように、操作モードを切替えるモード切替ボタン２５が設けてあり、このモード切替ボタン２５を操作することによって、システム１５の設定が変更され、当該記録再生装置のモードが録画モード、再生モード及び編集モードの間で切り替わる。すなわち、録画モードに設定された際には、システム１５は前記ＮＴＳＣデコーダ１２からのビットストリームをＭＰＥＧデコーダ２１に送り、テレビモニタ２３での視聴を可能にすると同時に、ハードディスク１４へも送り、該ハードディスク１４に番組を記録する。
【００２２】
再生モードに設定された際には、システム１５はユーザーが指定した番組をハードディスク１４から読み出し、ＭＰＥＧデコーダ２１へ出力し、映像をテレビモニタ２３に出力する。なお、装置が通常のテレビチューナとして動作する場合は、システム１５はＮＴＳＣデコーダ１２からのビットストリームをスルーさせてＭＰＥＧデコーダ２１へ送る。
【００２３】
次に、編集モードについて説明する。編集モードに設定された際には、システム１５はユーザーが指定した番組のデータをハードディスク１４から読み出し、ＯＳＤ２２を介してテレビモニタ２３に図３に示した操作画面２６を表示する。すなわち、画面の下方に、読み出した番組の全体（録画時間のタイムチャート）を表す横長のライン２７が表示され、その上方に小画面２８と、「削除」２９、「保存」３０などの処理種別が表示される。この編集モード時の操作画面については、デザイン、レイアウトなど種々の変形が可能である。
【００２４】
上記小画面２８に表れた映像は、録画された番組の中のユーザーが選んだある時点の映像であるが、この映像が最初の画面に相当する所定範囲の録画（例えばＣＭ部分）がユーザーによって不要と判断されたならば、ユーザーは画面中の「削除」表示２９をリモコン１７の十字キー３１等を操作することによって選んだ上で、決定ボタン３２を押せば、その部分の記録がハードディスク１４から削除されるようになっている。
【００２５】
そして、本発明では、上記小画面２８に表れる映像（編集ポイントとなる映像）がリモコン１７の移動ボタン１９を押すだけで容易に適正な映像（ユーザーが事前に編集ポイントとして指定した映像）が表示される。
【００２６】
すなわち、本発明のリモコン１７では編集ボタン１８が設けてあり、録画モード時あるいは再生モード時に、ユーザーがテレビモニタ２３上で、ある番組を視聴しながら、削除したい映像部分（例えばＣＭ、映画の予告編部分）に差し掛かったならば、前記編集ボタン１８を押せば、その映像位置が、当該番組に関連付けてシステム１５に記憶されるようになっている。図１において、１５ａは、システム１５内の、その映像位置を記憶しておくＲＡＭである。編集ボタン１８は、ユーザーが後に編集あるいは削除を希望する箇所の複数に亘って押し操作され、したがって、通常は１番組中に２箇所以上の編集ポイントが記憶される。そして、記憶された映像位置（編集ポイント）は、編集モードにおいて次のように表示される。
【００２７】
すなわち、図３に示したように、編集モード時の横長ライン２７に、上記の操作でユーザーが指定した編集ポイントが、マーク３３となって表示される。該マーク３３は、システム１５内のＲＡＭ１５ａから読み出した映像位置情報により、ＯＳＤ２２を介してテレビモニタ２３上に表示される。
【００２８】
次に、ユーザーがリモコン１７の移動ボタン１９を押し操作すれば、前記小画面２８の映像が前記マーク３３が付された位置（タイムチャート上の位置）の映像へとジャンプし、同じ操作を繰り返すことにより、小画面２８の映像は次のマーク３３位置の映像へとジャンプ移動する。こうして小画面２８に表れる映像は、ユーザー自身が、番組視聴時に編集ボタン１８を操作して指定した映像であるので、正しい編集ポイントであるはずであるが、ユーザーがそのポイントを敢えて若干前後へずらしたいと考えた場合には、リモコン１７の早送り又は早戻しキー等を操作して変更することが可能である。なお、上記操作により削除される記録部分は、２つの編集ポイント（マーク３３）に挟まれた間の部分Ｒ１，Ｒ２（図３）である。
【００２９】
次に、リモコン１７の削除ボタン２０を利用した、録画モードあるいは再生モードで映像を視聴している段階での削除決定ができる操作について説明する。すなわち、ＣＭのように、１回目の視聴時点でユーザーが明らかに削除を決定できる部分については、次のように操作すれば、その削除操作については、編集モードに切替えて前述の何段階かの操作を行わなくとも、削除が実行される。
【００３０】
すなわち、ユーザーが録画モードあるいは再生モード時に映像を視聴している段階で、削除したい映像部分（ＣＭ部分）に差し掛かったならば、まず編集ボタン１８を押し、次に削除したい部分が終了した時点でリモコン１７の削除ボタン２０を押す。この操作により、システム１５は編集ボタン１８及び削除ボタン２０の押された映像位置を記憶し、その間の映像部分の削除を決定する。したがって、ユーザーは、改めて編集モードに切替えた後の上記部分についての削除操作が省略できる。
【００３１】
なお、削除ボタン２０を操作した位置の前方（タイムチャートで言えば時間的に前）に編集ポイントが無い場合には、当該番組の最初から削除が実行される。つまり、削除ボタン２０で指定した位置とその前方の編集ボタン１８で指定した位置で挟まれる映像部分が存在する場合には、その映像部分が削除され、削除ボタン２０で指定した位置の前に編集ポイントが指定されていない場合には、当該番組の最初から削除ボタン２０で指定した位置までが削除される。
【００３２】
次に、上記編集モードで決定した削除、保存などの編集処理が、深夜帯等のユーザーによる使用頻度の低い時間帯に自動的に実行される実施形態を説明する。
【００３３】
すなわち、上記のようにして決定された編集処理の実行は、通常は編集モードにおける編集処理内容の決定後、引き続いて行われるものであるが、削除箇所が多い場合とか、ハードディスク１４の空き容量が少ない場合で、ハードディスク１４内の記録エリアの再配置（デフラグ）が自動的に行われる場合には、これに相当の時間がかかり、ユーザーに無駄な待ち時間を与えてしまうことになっていた。
【００３４】
この第２の実施形態では、上記編集処理の実行が、ユーザーによる編集モードとは別に次のようにして行われる。すなわち、図４にそのフローチャートを示したように、記録再生装置１０に内蔵のタイマー（不図示）によって所定の深夜時間帯（例えば午前３時）になったことが検知されて、編集処理が自動的に開始されると、まず予約録画がされていないかどうかが判断され（ステップ１）、予約有りの場合は編集処理を終了する。
【００３５】
予約無しの場合は、削除する番組が存在するかどうかが判断され（ステップ２）、存在する場合には所定の削除処理が実行される（ステップ３）。ステップ２で削除番組が存在しない場合は、デフラグの必要があるかどうかが判断され（ステップ４）、必要がなければ終了し、必要があればデフラグが実行される（ステップ５）。
【００３６】
また、削除処理が実行されるか、あるいはデフラグ処理が実行された後、ユーザーがリモコン１７などで何か入力操作を行ったかどうかが判断され（ステップ６）、イエスなら終了し、ノーなら再びステップ１へ戻る。なお、上記フローチャートを実行するプログラムはシステム内に格納されている。
【００３７】
また、上記ステップ２では、削除する番組が存在するかどうか判断しているが、これはハードディスク１４内に多数の番組が記録されていて、その多数の番組の内、いくつかの番組を、番組ごとユーザーが削除指定した場合の例である。従って、前記実施形態１の例であれば、編集ポイントで挟まれた部分（削除部分Ｒ１，Ｒ２）が存在するかどうかを判断する。
【図面の簡単な説明】
【００３８】
【図１】本発明に係るハードディスク記録再生装置の構成を示すブロック図。
【図２】同リモコンの構成を示す図。
【図３】同編集モードにおける操作画面を示す図。
【図４】同編集処理の実行を編集モードとは切り離して行う場合のフローチャート。
【図５】従来例における操作画面を示す図。
【符号の説明】
【００３９】
１０    ハードディスク記録再生装置
１４    ハードディスク
１５    コンピュータシステム（制御手段）
１５ａ  ＲＡＭ
１６    リモコン受光部（操作部）
１７    リモコン（操作部）
１８    編集ボタン
１９    移動ボタン
２０    削除ボタン
２３    テレビモニタ（映像出力手段）
２６    操作画面
２８    小画面
３３    マーク（編集ポイント）
【図１】
2006005394.tif 000003
【図２】
2006005394.tif 000004
【図３】
2006005394.tif 000005
【図４】
2006005394.tif 000006
【図５】
2006005394.tif 000007